【手続補正書】
【提出日】平成29年3月13日(2017.3.13)
【手続補正１】
【補正対象書類名】特許請求の範囲
【補正対象項目名】請求項１
【補正方法】変更
【補正の内容】
【請求項１】
マスク着用者の少なくとも鼻孔と口許とを覆う通気性のマスク本体部と、前記マスク本体部の両側部それぞれに接合された一対の耳掛け部とを備え、前記マスク本体部が前記着用者の顔面と向かい合う内面側とその反対面である外面側とを有するとともに、前記着用者の上下方向と左右方向とに対応する縦方向と横方向とを有する使い捨てのマスクであって、
前記マスク本体部は１枚または重なり合う複数枚の不織布によって形成され、前記横方向へ並行して延びる少なくとも二条の折り目の一つずつを前記内面側と前記外面側とに作ることによって折り畳まれて前記不織布の重畳部と非重畳部とが形成されており、
前記一対の耳掛け部は前記内面側に位置する１枚または重なり合う複数枚の前記不織布によって形成されていて、それぞれの前記耳掛け部が前記両側部それぞれから前記マスク本体部の前記横方向の中央部にまで延びて耳通し用の孔部を画定するとともに、前記中央部においては互いに分離可能に連結された状態にあり、
それぞれの前記耳掛け部はまた、前記マスク本体部の前記重畳部と重なり合う部分と前記非重畳部と重なり合う部分とを有しており、
前記マスク本体部は、前記耳掛け部を形成している前記不織布の色とは異なる色に着色された前記不織布を少なくとも１枚含むことによって、前記マスク本体部を前記内面側から見ると、前記重畳部と前記非重畳部との間に前記異なる色についての濃淡の差が生じていることを特徴とするマスク。
【手続補正２】
【補正対象書類名】特許請求の範囲
【補正対象項目名】請求項５
【補正方法】変更
【補正の内容】
【請求項５】
前記マスク本体部は、前記内面側に位置する前記最内側不織布と、前記外面側に位置する前記最外側不織布と、これら前記両不織布の間に介在する中間不織布とを含み、前記最内側不織布と前記最外側不織布と前記中間不織布とのうちの少なくとも１枚が前記異なる色に着色されており、前記最内側不織布と前記中間不織布とが前記縦方向において前記最外側不織布の外側に延出する部分を有し、前記延出する部分は前記最外側不織布が形成する前記外面側に向けて折り返されて前記外面側に接合している請求項１−３のいずれかに記載のマスク。
【手続補正３】
【補正対象書類名】明細書
【補正対象項目名】０００７
【補正方法】変更
【補正の内容】
【０００７】
本発明が特徴とするところは、以下のとおりである。前記マスク本体部は１枚または重なり合う複数枚の不織布によって形成され、前記横方向へ並行して延びる少なくとも二条の折り目の一つずつを前記内面側と前記外面側とに作ることによって折り畳まれて前記不織布の重畳部と非重畳部とが形成されており、前記一対の耳掛け部は前記内面側に位置する１枚または重なり合う複数枚の前記不織布によって形成されていて、それぞれの前記耳掛け部が前記両側部それぞれから前記マスク本体部の前記横方向の中央部にまで延びて耳通し用の孔部を画定するとともに、前記中央部においては互いに分離可能に連結された状態にあり、それぞれの前記耳掛け部はまた、前記マスク本体部の前記重畳部と重なり合う部分と前記非重畳部と重なり合う部分とを有しており、前記マスク本体部は、前記耳掛け部を形成している前記不織布の色とは異なる色に着色された前記不織布を少なくとも１枚含むことによって、前記マスク本体部を前記内面側から見ると、前記重畳部と前記非重畳部との間に前記異なる色についての濃淡の差が生じている。
【手続補正４】
【補正対象書類名】明細書
【補正対象項目名】００２３
【補正方法】変更
【補正の内容】
【００２３】
マスク１０は、端縁部２２に、ノーズフィット部材２７（図１参照）を取り付けることができる。この部材２７は、指先で容易に塑性変形させることができる金属の細片で作られる。マスク着用者は、２本の指で部材２７を変形させ、マスク本体部２０の上方の端縁部２２を鼻筋とその両側部分とにフィットさせることができる。部材２７は、その色をマスク本体部２０における不織布の色と容易に識別できるものにしておけば、着用者が視力の弱い高齢者等であっても部材２７の位置を容易に認識して部材２７を活用することができる。なお、この発明においてマスク１０に重畳部５０と非重畳部５１とを形成するには、少なくとも二条の互いに並行する襞２３ａ，２３ｂを作るようにマスク本体部２０を折り畳めばよい（図３参照）。二条のうちの一条は内面側２０ａに作り、もう一条は外面側２０ｂに作る。
【手続補正５】
【補正対象書類名】明細書
【補正対象項目名】００３０
【補正方法】変更
【補正の内容】
【００３０】
マスク着用者の少なくとも鼻孔と口許とを覆う通気性のマスク本体部と、前記マスク本体部の両側部それぞれに接合された一対の耳掛け部とを備え、前記マスク本体部が前記着用者の顔面と向かい合う内面側とその反対面である外面側とを有するとともに、前記着用者の上下方向と左右方向とに対応する縦方向と横方向とを有する使い捨てのマスクであって、
前記マスク本体部は１枚または重なり合う複数枚の不織布によって形成され、前記横方向へ並行して延びる少なくとも二条の折り目の一つずつを前記内面側と前記外面側とに作ることによって折り畳まれて前記不織布の重畳部と非重畳部とが形成されており、
前記一対の耳掛け部は前記内面側に位置する１枚または重なり合う複数枚の前記不織布によって形成されていて、それぞれの前記耳掛け部が前記両側部それぞれから前記マスク本体部の前記横方向の中央部にまで延びて耳通し用の孔部を画定するとともに、前記中央部においては互いに分離可能に連結された状態にあり、
それぞれの前記耳掛け部はまた、前記マスク本体部の前記重畳部と重なり合う部分と前記非重畳部と重なり合う部分とを有しており、
前記マスク本体部は、前記耳掛け部を形成している前記不織布の色とは異なる色に着色された前記不織布を少なくとも１枚含むことによって、前記マスク本体部を前記内面側から見ると、前記重畳部と前記非重畳部との間に前記異なる色についての濃淡の差が生じていることを特徴とする。
【手続補正６】
【補正対象書類名】明細書
【補正対象項目名】００３１
【補正方法】変更
【補正の内容】
【００３１】
本発明はまた、少なくとも下記の実施の形態を含む。
（１）前記マスク本体部には、前記異なる色として赤みの色相を有する有彩色が使用され、前記耳掛け部を形成している前記不織布の色が白色である。
（２）前記マスク本体部には、前記横方向へ延びるノーズフィット部材が含まれていて、前記ノーズフィット部材の色が前記異なる色とは識別可能な色である。
（３）前記マスク本体部は、前記内面側に位置する最内側不織布と、前記外面側に位置する最外側不織布とを含み、前記最内側不織布と前記最外側不織布とのうちの少なくとも一方が前記異なる色に着色されており、前記最内側不織布が前記縦方向において前記最外側不織布の外側に延出する部分を有し、前記延出する部分は前記最外側不織布が形成する前記外面側に向けて折り返されて前記外面側に接合している。
（４）前記マスク本体部は、前記内面側に位置する前記最内側不織布と、前記外面側に位置する前記最外側不織布と、これら前記両不織布の間に介在する中間不織布とを含み、前記最内側不織布と前記最外側不織布と前記中間不織布とのうちの少なくとも１枚が前記異なる色に着色されており、前記最内側不織布と前記中間不織布とが前記縦方向において前記最外側不織布の外側に延出する部分を有し、前記延出する部分は前記最外側不織布が形成する前記外面側に向けて折り返されて前記外面側に接合している。
（５）前記マスク本体部は、前記縦方向の寸法を二等分する中心線を有し、前記中心線よりも上方の部分と下方の部分とに前記重畳部を有し、前記重畳部どうしの間には前記非重畳部を有し、前記マスク本体部の前記内面側は、前記非重畳部において前記耳掛け部から離間している。
【手続補正７】
【補正対象書類名】明細書
【補正対象項目名】００３２
【補正方法】変更
【補正の内容】
【００３２】
１０    マスク
２０    マスク本体部
２１    側部
２２    端縁部
２３ａ，２３ｂ    折り目（襞）
２４    最内側不織布
２５    中間不織布
２６    最外側不織布
２７    ノーズフィット部材
３０    耳掛け部
３１    耳通し用の孔部
３２    基端部
３３    帯状部
４０    溶着部
５０    重畳部
５１    非重畳部
Ｃ−Ｃ    中心線